(57)【要約】      （修正有）【課題】ドアキーとは別に、手軽にドアをロック及びアンロックできるとともに、所定位置以上のドアの開放を規制することができるドアガードを提供する。【解決手段】枠体２００又は扉部材１００に設けられるアーム装置１０と、相手側となる前記扉部材１００又は前記枠体２００に設けられるとともに、前記アーム装置１０と係合しつつ、任意の位置で前記扉部材１００の開放を規制する係合装置２０と、を備えるとともに、前記アーム装置１０は、スライド可能に支持されるアーム部材１２と、前記アーム部材１２を前記係合装置２０に近接又は離反する方向にスライドさせるスライド機構３０と、を更に備え、前記アーム部材１２は、前記スライド機構３０によって、前記係合装置２０に近接された状態において前記枠体２００又は前記扉部材１００の少なくとも一部と係合するドアガード１とした。【選択図】図１
2010144387.tif 000002
【特許請求の範囲】
【請求項１】
枠体又は扉部材に設けられるアーム装置と、
相手側となる前記扉部材又は前記枠体に設けられるとともに、前記アーム装置と係合しつつ、任意の位置で前記扉部材の開放を規制する係合装置と、
を備えるとともに、
前記アーム装置は、回動可能且つスライド可能に支持されるアーム部材と、
前記アーム部材を前記係合装置に近接又は離反する方向にスライドさせるスライド機構と、
を更に備え、
前記アーム部材は、前記スライド機構によって、前記係合装置に近接された状態において、前記枠体又は前記扉部材の少なくとも一部と係合することを特徴とするドアガード。
【請求項２】
前記アーム部材は、前記係合装置方向に突出した複数の係合片を有し、
前記複数の係合片が、前記枠体又は前記扉部材の少なくとも一部と係合することを特徴とする、
請求項１に記載のドアガード。
【請求項３】
前記複数の係合片は、少なくとも第１係合片と第２係合片とを有し、
前記第１係合片と前記第２係合片の間隔は、前記第１係合片の板厚又は前記第２係合片の板厚よりも広くなるように形成されていることを特徴とする、
請求項２に記載のドアガード。
【請求項４】
前記アーム部材が前記係合装置に近接された状態において、前記アーム部材のスライドを抑制するスライド抑制機構を更に備えていることを特徴とする、
請求項１乃至３のいずれか１項に記載のドアガード。
【請求項５】
前記アーム部材は、略Ｕ字形状に形成され、前記第１係合片及び前記第２係合片は、前記Ｕ字開口端部に形成されていることを特徴とする、
請求項３に記載のドアガード。
【請求項６】
前記アーム部材は、Ｕ字形状の間に補強部材が設けられ、前記アーム部材の撓みを防止することを特徴とする、
請求項５に記載のドアガード。
【請求項７】
前記アーム装置は、前記アーム部材を所定の位置で係止するラッチ手段を、更に備えることを特徴とする、
請求項１乃至６のいずれか１項に記載のドアガード。
【発明の詳細な説明】
【技術分野】
【０００１】
本発明は、ドアの開放を規制するドアガードに関する。
【背景技術】
【０００２】
従来、ドアＤ側に回動可能なレバーを設け、ドアフレーム（ドア回り）側に受け具を設け、レバーを受け具（ロック位置）側に倒して、レバーに設けられた係合溝部と受け具を係合させることで、ドアが開扉した場合にレバーが所定の終端部に当接し、ドアのさらなる開放が阻止される発明が開示されている（例えば、特許文献１参照）。更に、特許文献１に開示されている発明は、受け具側に付勢された保持部を備え、ドアが閉扉された状態でレバーをアンロック位置側に回動されることを防止する発明である。
【特許文献１】特開２００５−９０８３号公報
【発明の開示】
【発明が解決しようとする課題】
【０００３】
しかしながら、前述した特許文献１に開示されている発明は、ドアをロックするためにはレバーを回動して受け具側に倒す必要（特に、特許文献１に開示されている発明は、保持部を解除するためのロック解除部を手前に引きながらレバーを倒さなければならない）があり、手間がかかるという問題があった。
【０００４】
また、特許文献１に開示されている発明では、ドアは所定の位置まで開いてしまうので、ドアＤの内部を見られてしまうという問題があった。
【０００５】
本発明は、斯かる実情に鑑み、ドアキーとは別に、手軽にドアをロック及びアンロックできるとともに、所定位置以上のドアの開放を規制することができるドアガードを提供することを目的とする。
【課題を解決するための手段】
【０００６】
本発明者の鋭意研究によって、上記目的は下記の手段によって達成される。
【０００７】
（１）本発明は、枠体又は扉部材に設けられるアーム装置と、相手側となる前記扉部材又は前記枠体に設けられるとともに、前記アーム装置と係合しつつ、任意の位置で前記扉部材の開放を規制する係合装置と、を備えるとともに、前記アーム装置は、回動可能且つスライド可能に支持されるアーム部材と、前記アーム部材を前記係合装置に近接又は離反する方向にスライドさせるスライド機構と、を更に備え、前記アーム部材は、前記スライド機構によって、前記係合装置に近接された状態において、前記枠体又は前記扉部材の少なくとも一部と係合することを特徴とするドアガードである。
【０００８】
（２）本発明はまた、前記アーム部材は、前記係合装置方向に突出した複数の係合片を有し、前記複数の係合片が、前記枠体又は前記扉部材の少なくとも一部と係合することを特徴とする、（１）に記載のドアガードである。
【０００９】
（３）本発明はまた、前記複数の係合片は、少なくとも第１係合片と第２係合片とを有し、前記第１係合片と前記第２係合片の間隔は、前記第１係合片の板厚又は前記第２係合片の板厚よりも広くなるように形成されていることを特徴とする、（２）に記載のドアガードである。
【００１０】
（４）本発明はまた、前記アーム部材が前記係合装置に近接された状態において、前記アーム部材のスライドを抑制するスライド抑制機構を更に備えていることを特徴とする、（１）乃至（３）のいずれかに記載のドアガードである。
【００１１】
（５）本発明はまた、前記アーム部材は、略Ｕ字形状に形成され、前記第１係合片及び前記第２係合片は、前記Ｕ字開口端部に形成されていることを特徴とする、（３）に記載のドアガードである。
【００１２】
（６）本発明はまた、前記アーム部材は、Ｕ字形状の間に補強部材が設けられ、前記アーム部材の撓みを防止することを特徴とする、（５）に記載のドアガードである。
【００１３】
（７）本発明はまた、前記アーム装置は、前記アーム部材を所定の位置で係止するラッチ手段を、更に備えることを特徴とする、（１）乃至（６）のいずれかに記載のドアガード。
【発明の効果】
【００１４】
本発明によれば、ドアフレームに対して容易にドアの開扉を規制することができるドアガードを提供できるという優れた効果を奏し得る。
【発明を実施するための最良の形態】
【００１５】
以下、本発明の実施の形態を添付図面を参照して説明する。
【００１６】
図１を用いて、本発明の第１実施形態について説明する。同図は、第１実施形態に係るドアガード１が開放位置にある場合を示す斜視図である。
【００１７】
ドアガード１は、ドア１００（扉部材と言うこともある）側に設けられたアーム装置１０と、ドアフレーム２００（枠体と言うこともある）側に設けられた係合装置２０と、から構成されている。
【００１８】
アーム装置１０は、アーム部材１２と、アームベース１６とから更に構成されている。アーム部材１２はアームベース１６に軸支され、ドア１０の開閉方向（同図の矢印Ａ又はＢ方向）に回動可能とされている。
【００１９】
アーム部材１２は、鉄等の金属製又はアルミニウム合金等の非鉄金属製でできており、概略Ｕ字形状の部材である。このアーム部材１２は、Ｕ字形状の内側に係合溝１３が形成され、Ｕ字形状の端部側には一対の係合片１４、１４（第１係合片１４Ａ及び第２係合片１４Ｂ）が形成されている。一対の係合片１４、１４の間隔は、少なくとも係合片１４を形成している部材の板厚よりも広くなっていることが好ましい。なお、本実施形態では、係合片１４はＵ字形状の開口端部側に２つ設ける構造としたが、後で説明する係合装置２０（若しくはドアフレーム２００）の一部と係合し、所定の力によるドア１００の開扉を阻止できるものであれば、これに限定されるものではない。例えば、Ｕ字形状のアーム部材１２の開口端部側に複数の係合片を設けても好ましく、また、少なくとも係合片１４の板厚よりも幅が広い１つの係合片を設けるようにしても好ましい。
【００２０】
係合溝１３は、係合片１４側に近い方に開口部１３ａが形成され、さらに開口部１３ａと連続して、開口部１３ａよりも溝幅が狭い誘導溝１３ｂが、アーム部材１２の先端近傍まで延在するように形成されている。また、誘導溝１３ｂの端部近傍には係止溝１３ｃが設けられている。詳細は後で説明するが、係合装置２０がアーム部材１２方向に回転されると、併合装置２０のヘッド２２ａは、初めに開口部１３ａと係合し、その後ドア１００を開扉するのに伴ってアーム部材１２の誘導溝１３ｂと係合しながら、誘導溝１３ｂに沿って相対的に移動し、係止溝１３ｃまで移動した所で停止されることによりドア１００のそれ以上の開扉が規制される。
【００２１】
また、アーム部材１２は、係合片１４の根元近傍の側面にスライド溝１２ｄが形成されている。このスライド溝１２ｄは、係合片１４の先端から根元側までの所定の範囲（本実施形態では、約２ｃｍ）に設けられた長穴形状の溝であり、後で説明するアームベース１６の軸ピン１７がこのスライド溝１２ｄと摺動可能に係合することにより、アーム部材１２はスライド溝１２ｄに沿って係合装置２０方向にスライドできるようになっている。
【００２２】
アームベース１６は、鉄等の金属製又はアルミニウム合金等の非鉄金属製でできており、対向する一対の側壁１６ａ、１６ａを有する概略コの字形状の部材である。このアームベース１６は、複数のボルト６００（本実施形態では、３つ）によりドア１００に固定されている。また、アームベース１６の一対の側壁１６ａ、１６ａには、アーム部材１２のスライド溝１２ｄと略対向する位置に穴部１６ｂが設けられ、その穴部１６ｂに軸ピン１７が挿設されている。この軸ピン１７は、穴部１６ｂ及びスライド溝１２ｄに挿通し、対向する一対のスライド溝１２ｄ、１２ｄの対向面側でＣリング１８等により係止されている。したがって、アーム部材１２は、アームベース１６に対して、スライド溝１２ｄに沿って係合装置２０方向にスライドすることができるようになっている。なお、この軸ピン１７とスライド溝１２ｄの相対移動によってアーム部材１２をスライドする機構をスライド機構３０と言う。
【００２３】
次に、係合装置２０は、キャッチ２２と、キャッチベース２４とから構成されている。キャッチ２２はキャッチベース２４に軸支され、アーム装置１０方向（同図の矢印Ｃ又はＤ方向）に回動可能とされている。
【００２４】
キャッチ２２は、鉄等の金属製又はアルミニウム合金等の非鉄金属製でできており、概略柱状部材である。このキャッチ２２は、アーム装置１０方向に回動した際、アーム装置１０側に位置する端部に傘状のヘッド部２２ａを有し、他端側の端部近傍に穴部（図示省略）が形成されている。
【００２５】
キャッチベース２４は、鉄等の金属製又はアルミニウム合金等の非鉄金属製でできており、概略Ｌ字型形状の部材である。このキャッチベース２４は、底面２４ａから対向する一対のＪ型アーム２４ｂ、２４ｂが伸び、Ｊ型アーム２４ｂのＪ字状に曲がっている先端側には、キャッチ２２と組み合わせた時に、キャッチ２２の穴部（図示省略）に対向する位置に穴部２４ｃが形成されている。また、底面２４ａに立設されたＪ型アーム２４ａの根元近傍には固定穴２４ｄが形成され、ボルト２５等でドアフレーム２００に固定されている。
【００２６】
キャッチベース２４の穴部２４ｃとキャッチ２２の穴部（図示省略）を同心状態に組み合わせ、軸ピン２６を挿通することで、キャッチ２２はキャッチベース２４に対して回動可能に軸支される。なお、軸ピン２６は、キャッチ２２の他端側（挿通方向と反対側）でＣリング（図示省略）等により固定されている。
【００２７】
また、Ｊ型アーム２４ｂのＪ字状に曲がっている先端側には係合板２４ｅが設けられている。前述した、アーム部材１２が係合装置２０方向にスライドした場合に、アーム部材１２の係合片１４は、この係合板２４ｅの少なくとも一部と係合するようになっている。
【００２８】
＜ドアの開扉規制動作＞
【００２９】
次に、ドアガード１によりドア１００の開扉を規制する規制動作について説明する。図２は、ドアガード１が規制位置にある場合を示す斜視図であり、図３は、ドアガード１が係止位置にある場合の斜視図である。
【００３０】
まず、ドアガード１によりドア１００の開扉を規制する場合、アーム部材１２とキャッチ２２をお互いの方向に回転させて、開扉可能位置Ｕ（図１参照）から開扉規制位置Ｌ（図２参照）まで移動させる必要がある。具体的には、ドア１００が完全に閉まっている状態において、初めにキャッチ２２をアーム装置１０方向（図１に示される矢印Ｃ方向）に、開扉可能位置Ｕから約１８０度回動して倒す。次にアーム部材１２を係合装置２０方向（図１に示される矢印Ａ方向）に、開扉可能位置Ｕから約９０度回動して倒すと、キャッチ２２のヘッド部２２ａはアーム部材１２の開口部１３ａと係合できる状態となる。なお、本実施形態では、この開扉規制位置Ｌにおいて、ヘッド部２２ａと開口部１３ａは、まだ係合しておらず、この後、ドア１００を開扉（図２に示す矢印Ｅ方向に移動）することによって、ヘッド部２２ａは、開口部１３ａから誘導溝１３ｂに係合しながら、誘導溝１３ｂに沿って案内され、係止溝１３ｃ（後述する扉係止位置Ｓ）で停止する。ヘッド部２２ａが係止溝１３ｃに到達すると、ヘッド部２２ａは、アーム部材１２の先端方向にそれ以上移動できなくなる。つまり、ドア１００をそれ以上開くことができない状態になる。
【００３１】
勿論、アーム部材１２とキャッチ２２の回転させる順序は、本実施形態に限定されるものではなく、先にアーム部材１２を係合装置２０方向に回動させ、その後キャッチ２２をアーム装置１０方向に回転させて、アーム部材１２とキャッチ２２を係合するようにしても良い。
【００３２】
次に、図２に示される状態からドア１００を開扉する（ドア１００を矢印Ｅ方向に開く）と、アーム装置１０はドア１００とともに係合装置２０に対して矢印Ｅ方向に回動する。アーム装置１０の回動によって、キャッチ２２のヘッド部２２ａは開口部１３ａに対して相対的に移動し、開口部１３ａから誘導溝１３ｂに案内される（図１参照）。
【００３３】
ドア１００をさらに開扉すると、ヘッド部２２ａは誘導溝１３ｂと係合しながら、係止溝１３ｃまで案内される（図３参照）。係止溝１３ｃは、端部がＲ形状になっており（図１参照）、ヘッド部２２ａがこの係止溝１３ｃの端部に当接するようになっている。これにより、ヘッド部２２ａは、それ以上アーム部材１２先端方向への移動が規制される。つまり、ドア１００を開扉して、ヘッド部２２ａがこの係止溝１３ｃ（係止位置Ｓ）まで導入されると、それ以上、ドア１００を開扉することができない状態となる。このヘッド部２２ａが停止される位置を扉係止位置Ｓという。
【００３４】
＜ドアのロック動作＞
【００３５】
次に、図４を用いて、ドアガード１によりドア１００の開扉を阻止するロック動作について説明する。同図（ａ）は、図１と同様に、ドアガード１が開扉可能位置Ｕにある場合を示す斜視図であり、（ｂ）は、ドアガード１がロック位置Ｒにある場合を示す斜視図である。
【００３６】
ここで、開扉可能位置Ｕについて改めて定義する。本明細書で言う開扉可能位置Ｕは、ドア１００が完全に閉まっている状態において、アーム部材１２が係合装置２０（若しくはドアフレーム２００）と係合していない状態であり、ドア１００は、ドアフレーム２００に対して開放自在にされている状態である。
【００３７】
アーム装置１０及び係合装置２０が開扉可能位置Ｕにある状態（図４（ａ）参照）から、軸ピン１７に対してスライド溝１２ｄをスライドさせることにより、アーム部材１２を係合装置２０方向（矢印Ｇ方向）にスライドさせることができる（なお本実施形態では、係合装置２０は、開扉可能位置Ｕになくても構わない）。
【００３８】
その後、アーム部材１２の係合片１４がキャッチベース２４の係合板２４ｅの位置まで達すると、アーム部材１２は、キャッチベース２４の係合板２４ｅに係合しながらスライドし、所定の位置で係合片１４に形成されている段形状の当接部１４ａと係合板２４ｅの端部が当接し、それ以上アーム部材１２が係合装置２０方向にスライドできないようになっている。この係合片１４の当接部１４ａと係合板２４ｅの端部が当接している位置をロック位置Ｒという（図４（ｂ）参照）。
【００３９】
ロック位置Ｒでは、係合片１４と係合板２４ｅは、略密着した状態で係合しているので、ドア１００を開扉しようとすると、係合片１４は係合板２４ｅに移動を阻止され、ドア１００を開放することができない。したがって、ロック位置Ｒでは、ドア１００は全く開扉できない状態になっている。
【００４０】
したがって、通常ドアノブ（図示省略）に設けられているドア鍵（図示省略）によりドアを施錠しなくても、アーム部材１２を係合装置２０方向にスライドするだけで、容易にドア１００の開扉を阻止することができる。また、反対にアーム部材１２を係合装置２０と反対方向にスライドさせて、アーム部材１２を開扉可能位置Ｕにすることでロックを容易に解除することができる。
【００４１】
換言すると、本実施形態に係るドアガード１は、アーム部材１２をロック位置Ｒまでスライドさせるという僅か１工程でドア１００を開扉できない状態にすることができ、いわゆる一般的なドアの開扉を所定の位置で制限するドアガードとしての機能と、ドアが全く開かないように完全にロックするというロック機能の２つの機能を共通の部材（アーム装置１０及び係合装置２０）により実現することができる。
【００４２】
また、ドア１００の外にいる人と対話するため、又は部屋内の空気の入れ替える等のためドア１００を僅かに開けたい場合には、前述したようにアーム部材１２とキャッチ２２を開扉規制位置Ｌにすることによって、ドア１００が一定以上開放しないように制限することができる。
【００４３】
なお、当接部１４ａと係合板２４ｅの間に所定の隙間を設け、その隙間の分だけ、係合板２４ｅに対して係合片１４が回動できるようにしても好ましい。この場合、部屋内の住人は、僅かに開扉したドア１００の隙間から外の様子を見ることができる。
【００４４】
ドアガード１は、ドアフレーム２００（枠体）又はドアフレーム２００の開口を開閉するように軸支されたドア１００（扉部材）に支持されたアーム装置１０と、アーム装置１０が支持されているドアフレーム２００又はドア１００の相手側となるドア１００又はドアフレーム２００に回動可能に支持された係合装置２０とを備えている。また、アーム装置１０は回動可能且つスライド可能に設けられたアーム部材１２と、アーム部材１２を係合装置２０に近接又は離反させる方向にスライドさせるスライド機構３０（軸ピン１７とスライド溝１２ｄから構成されるアーム部材１２のスライド機構）を更に備えている。これにより、スライド機構３０によってスライドしたアーム部材１２は、係合装置２０に係合し、ドア１００の開閉を阻止することができる。
【００４５】
また、アーム部材１２は、係合装置２０方向に突出する一対の係合片１４、１４を有している。したがって、アーム部材１２がスライドし、一対の係合片１４、１４が係合装置２０の係合板２４ｅに係合することにより、大きな力によりドア１００が開放される場合でも、ドア１００の開放を確実に阻止することができる。
【００４６】
また、一対の係合片１４、１４は、少なくとも第１係合片１４Ａと、第２係合片１４Ｂの２つの係合片を備えている。また、第１係合片１４Ａと第２係合片１４Ｂの間隔が第１係合片１４Ａ又は第２係合片１４Ｂを構成している板厚よりも広くなるように構成されている。したがって、１つの係合片でドア１００を押さえるよりも、一定間隔離れた２つの係合片により、ドア１００を押さえることができ、ドア１００の開放を確実に阻止することができる。
【００４７】
また、アーム部材１２は、略Ｕ字形状に形成され、第１係合片１４Ａ及び第２係合片１４Ｂは、Ｕ字開口端部に形成されているので、一定間隔離れた２つの係合片により、ドア１００を押さえることができ、ドア１００の開放を確実に阻止することができる。
【００４８】
また、アーム部材１２は、アーム部材１２の先端方向に延在するように設けられる係合溝１３を備え、係合溝１３は、キャッチ２２のヘッド部２２ａが挿入される開口部１３ａと、ドア１００を開放する場合に、ヘッド部２２ａと係合しながらヘッド部２２ａを、ドア１００の開放を規制する位置まで誘導する誘導溝１３ｂと、を有している。したがって、ヘッド部２２ａは、開口部１３ａ及び誘導溝１３ｂによって、滑らかに誘導され、ドア１００を所定の開放位置で係止することができる。
【００４９】
また、アーム装置１０のアーム部材１２は、少なくともドア１００の開扉を可能とする開扉可能位置Ｕと、ドア１００の開扉を規制する開扉規制位置Ｌとの間で回動可能とされ、係合装置２０のキャッチ２２は、アーム部材１２が開扉可能位置Ｕにあるときにアーム装置１０方向に回動することによってアーム部材１２に係合し、ドア１００を開扉する場合に、アーム部材１２とキャッチ２２が係合した状態で所定の扉係止位置Ｓで係止することによって、ドア１００のそれ以上の開扉を規制する。また、ドア１００が閉じている状態において、アーム部材１２が開扉可能位置Ｕにある場合に、アーム部材１２は、スライド機構３０により係合装置２０方向の扉ロック位置Ｒまでスライドされるとともに、アーム部材１２は、扉ロック位置Ｒにおいて、相手側となるドア１００又はドアフレーム２００の少なくとも一部と係合して、ドア１００の開扉を阻止する。したがって、同一のアーム部材１２で、ドア１００を少し開放し、所定の位置で固定することができ、また、アーム部材１２をスライドするだけで、ドア１００の開放を完全に阻止することができる。
【００５０】
次に、図５を用いて第２実施形態に係るドアガード２について説明する。
【００５１】
同図（ａ）は、第２実施形態に係るドアガード２がロック位置Ｒにある場合の斜視図であり、同図（ｂ）は、同ドアガード２のアーム部材１２が固定状態にある場合の斜視図である。
【００５２】
ドアガード２は、アーム部材１２にストッパー片１２ｆが設けられており、ロック位置Ｒにおいて、キャッチ２２を約１８０°回動すると、アーム部材１２のストッパー片１２ｆとキャッチ２２の係合溝２２ｂが係合するようになっている。これにより、アーム部材１２が開放方向（係合装置２０と反対方向）にスライドするのを防止する機構（ストッパー装置４０又はスライド抑制機構と言うことがある）を備えているところに特徴がある。
【００５３】
なお、アーム装置１０、係合装置２０の各装置に関し、同様の機能、形状を有する部材については、第１実施形態と同じ符号を付し、詳細な説明等は省略する。
【００５４】
アーム装置１２は、一対の係合片１４、１４近傍にストッパー片１２ｆ、１２ｆを備えている。この一対のストッパー片１２ｆ、１２ｆは、２つの係合片１４、１４から対向するように立設された片状部材であり、キャッチ２２をアーム装置１０方向に回転させた時に、キャッチ２２の係合溝２２ｂと係合できる位置に設けられている。
【００５５】
＜ストッパー動作＞
【００５６】
まず、開扉可能位置Ｕ（図１参照）において、スライド機構３０によりアーム部材１２を係合装置２０方向にスライドし、図５（ａ）に示されるロック位置Ｒまで移動させる。
【００５７】
次に、キャッチ２２をアーム部材１２方向に約１８０°回動して倒し、キャッチ２２に形成されている係合溝２２ｂが一対のストッパー片１２ｆ、１２ｆの隙間に係合するようにする。
【００５８】
この状態において、アーム部材１２を開扉可能位置方向へスライドさせようとしても、ヘッド部２２ａの傘状部分が一対のストッパー片１２ｆ、１２ｆと当接するので、アーム部材１２は、開扉可能位置方向（係合装置２０と反対方向）には容易にスライドできない状態となっている。
【００５９】
したがって、ドア１００に振動を与えたり、他の不正な手段によりロック位置Ｒにあるアーム部材１２を開扉可能位置Ｕまでスライドさせようとしても、アーム部材１２は、ストッパー片１２ｆとキャッチ２２が当接してロック状態にあるので、スライドを防止することができる。
【００６０】
上述したように、対向して配設される一対のストッパー片１２ｆ、１２ｆと、その対向するストッパー片１２ｆ、１２ｆの隙間に係合する係合溝２２ｂとの係合機構により構成されるストッパー装置４０（スライド抑制機構）により、ロック状態にあるアーム部材１２のスライドを阻止することができる。
【００６１】
また、第１実施形態に示すアーム装置にラッチ手段５０を設け、アーム部材を所定の位置でラッチできるようにしても良い。
【００６２】
図６（ａ）は、図１に示される矢視Ｉ方向（係合片１４方向）から見た、第３実施形態に係るアーム装置３１０の一部を拡大した斜視図である。同図において、ラッチ手段５０の説明に直接関わらない部材や装置については図示及び番号を省略し、同一の形状、機能、用途の部材や装置については同一の番号を付している。また、アームベース３１６の一部を破断面（斜線部）として表している。
【００６３】
アーム装置３１０は、アーム部材３１２と、アームベース３１６から構成されている。
【００６４】
アーム部材３１２の側面には、スライド溝３１３が長手方向に形成されている。スライド溝３１３には、長穴３１３ａが形成されるとともに、長穴３１３ａの両端に第１水平ラッチ凹部５２と、第２水平ラッチ凹部５４（図７参照）が形成されている。また、スライド溝３１３の上下方向には、それぞれ垂直ラッチ凹部５６が形成されている。垂直ラッチ凹部５６は、概略四角形状の凹部となっている。
【００６５】
第１水平ラッチ凹部５２及び第２水平ラッチ凹部５４は、長穴３１３ａの長手方向の両端部近傍から第１水平ラッチ凹部５２及び第２水平ラッチ凹部５４に向かって傾斜する（スロープ状になっている）斜面５２Ａ及び斜面５４Ａにより接続されている。また、垂直ラッチ凹部５６の凹部側壁には、アーム部材３１２の側面から垂直ラッチ凹部５６の中心方向になだらかに傾斜する斜面５６Ａが設けられている。
【００６６】
アームベース３１６の側壁３１６ａには、ラッチ部材７０（詳細は後述）が収容されるラッチ部材収容部３１６ｂが設けられている。ラッチ部材収容部３１６ｂの上面は開口しており、ラッチ部材７０を挿入できるようになっている。
【００６７】
また、側壁３１６ａのアーム部材３１２と対向する面には、ラッチ部材７０を挿入した場合に、ラッチ部材７０に設けられているラッチ凸部７２を側壁３１６ａから表出するための角孔３１６ｃが設けられている（図６（ｃ）参照）。なお、第１実施形態と同様に、側壁３１６ａには、穴部３１６ｄが設けられ、ピン１７が挿通されるようになっている。
【００６８】
ラッチ部材７０は、図６（ｂ）に示されるように、樹脂製で、断面が概略コの字状の部材である。ラッチ部材７０は、一方の端部側に２つのラッチ凸部７２、７２が平行に設けられ、２つのラッチ凸部７２、７２の反対側となる面に、付勢部材収容部７４が形成されている。付勢部材収容部７４には、圧縮バネなどの付勢部材８０の一部が収容される。ラッチ部材７０には、ラッチ部材７０を側壁３１６ａのラッチ部材収容部３１６ｂに収容した場合に、側壁３１６ａの穴部３１６ｄに対応する位置に穴部７６が設けられている。つまり、ラッチ部材７０を側壁３１６ａのラッチ部材収容部３１６ｂに収容した場合に、側壁３１６ａの穴部３１６ｄとラッチ部材７０の穴部７６とが略同心状態となって、貫通し、ピン１７を挿通できるようになっている。したがって、ラッチ部材７０は、ピン１７により係止されているため、ラッチ部材収容部３１６ｂから抜けなくなっている。
【００６９】
２つのラッチ凸部７２、７２は、概略四角形の突起であり、ラッチ部材７０の穴部７６の両脇に略平行に設けられている。更に、２つのラッチ凸部７２、７２の間隔は、上述した２つの垂直ラッチ凹部５６、５６の間隔と同じになっている。したがって、詳細は後述するが、アーム部材３１２をＡ方向に９０°回転させた場合に、２つのラッチ凸部７２、７２は、２つの垂直ラッチ凹部５６、５６に嵌合して係止する（ラッチする）ようになっている。
【００７０】
また、ラッチ部材７０のラッチ凸部７２の周囲は、ラッチ凸部７２の凸上面から根元方向に広がるように斜面７２Ａが形成されている。これにより、詳細は後述するが、アーム部材３１２が第１水平ラッチ凹部５２、第２水平ラッチ凹部５４、垂直ラッチ凹部５６にある状態（ラッチ状態）から、抜けだす場合に、ラッチ凸部７２の斜面７２Ａは、斜面５２Ａ、斜面５４Ａ、斜面５６Ａに沿って上昇するので、第１水平ラッチ凹部５２、第２水平ラッチ凹部５４、垂直ラッチ凹部５６を略一定の軽い力で乗り越えることができる。
【００７１】
同図（ｂ）に示されるように、側壁３１６ａのラッチ部材収容部３１６ｂに、付勢部材８０とともにラッチ部材７０を挿入すると、ラッチ部材７０は、ラッチ部材収容部３１６ｂの所定の位置まで収容される。また、付勢部材８０によって、ラッチ部材７０は、ラッチ凸部７２側に向かって付勢される。これにより、側壁３１６ａのラッチ部材挿入溝３１６ｂにラッチ部材７０を挿入することによって、ラッチ凸部７２を側壁３１６ａから表出するようにすることができる。
【００７２】
上述のように、ラッチ部材７０をバネ等の付勢部材８０によって、ラッチ凸部７２側に付勢するようにしているので、ラッチ凸部７２は、弾性を有するように、ラッチ部材収容部３１６ｂに収容される方向又は突出する方向（ラッチ凸部７２の前後方向）に移動することができる。したがって、例えば、アーム部材３１２を回転させてラッチ凸部７２を垂直ラッチ凹部５６に係合させる場合には、アーム部材３１２が回転途中では、ラッチ凸部７２はラッチ部材収容部３１６ｂ内に押し込まれ、アーム部材３１２が９０°回転した位置では、ラッチ凸部７２は、付勢部材８０に押されて突出する。これにより、操作者は、アーム部材３１２の回転中は、回転負荷をあまり感じずに回転を行うことができ、アーム部材３１２が所定の位置に回転した場合には、ラッチ凸部７２がカチッと飛び出してくる感じが伝わり、小気味よい感触を得ることができる。また、付勢部材８０は、ラッチ部材７０を側壁３１６ａのラッチ部材収容部３１６ｂに押し付けることによって、ラッチ部材７０を係止する役割も果たす。
【００７３】
上述した、第１水平ラッチ凹部５２、第２水平ラッチ凹部５４、垂直ラッチ凹部５６及びラッチ凸部７２によるアーム部材３１２のラッチ構造をラッチ手段５０と言う。
【００７４】
なお、本実施形態では、ラッチ部材７０を別部材として、ラッチ部材７０を側壁３１６ａに収容することにより、ラッチ凸部７２を側壁３１６ａから表出するようにしたが、勿論これに限定されるものではない。例えば、側壁３１６ａにラッチ凸部７２を直接形成してもよく、別部材のラッチ凸部７２を側壁３１６ａに組み付けるようにしてもよい。この場合、ラッチ凸部７２に付勢部材８０のような弾性を設けるようにすることが望ましい。
【００７５】
＜ラッチ動作＞
【００７６】
次に、図７（ａ）〜（ｃ）を用いて、ラッチ手段５０によるラッチ動作について説明する。
【００７７】
図７（ａ）は、アーム部材３１２が長穴３１３ａに沿って矢印Ｇ方向又はＨ方向のいずれにもスライドできる状態を示している。
【００７８】
まず、アーム部材３１２によりドア１００をロックする場合には、アーム部材３１２を図７（ａ）に示される矢印Ｇ方向にスライドさせる。アーム部材３１２が矢印Ｇ方向に移動すると、紙面左側のラッチ凸部７２は第２水平ラッチ凹部５４の斜面５４Ａに沿って矢印Ｇ方向に移動するとともに、斜面５４Ａの高低差分だけ付勢部材８０によって底面方向（紙面奥方向）に押し出される。これにより、ラッチ凸部７２は、第２水平ラッチ凹部５４と係合し、操作者は、カチッと言うラッチ感覚を得ることができる（同図（ｂ）参照）。
【００７９】
次に、アーム部材３１２によるドア１００のロックを解除する（ラッチ凸部７２を第２水平ラッチ凹部５４によるラッチ位置から脱出させる）場合には、アーム部材３１２を同図（ｂ）の状態から同図（ａ）に示される矢印Ｈ方向にスライドさせる。同図（ｂ）の状態からアーム部材３１２を矢印Ｈ方向にスライドさせると、紙面左側のラッチ凸部７２の斜面７２Ａは、第２水平ラッチ凹部５４の斜面５４Ａと当接する。アーム部材３１２に更に力を加えてスライドすると、ラッチ凸部７２は斜面５４Ａに沿って上昇する。この時、斜面５４Ａから受ける押圧力が付勢部材８０の付勢力に打ち勝ち、ラッチ凸部７２は、ラッチ部材収容部３１６ｂに収容される方向に、斜面５４Ａの高低差に沿って次第に押し込まれる。換言すると、第２水平ラッチ凹部５４に係止されているラッチ凸部７２は、ラッチ凸部７２の斜面７２Ａが第２水平ラッチ凹部５４の斜面５４Ａに沿って、押し込まれながら上昇するので、斜面５４Ａから受ける押圧力を略一定にして移動することができ、第２水平ラッチ凹部５４から脱出する際に、大きな力を必要とせずにスライドをスムーズに行うことができる。
【００８０】
更に、アーム部材３１２を矢印Ｈ方向にスライドすると、紙面右側のラッチ凸部７２は第１水平ラッチ凹部５２の斜面５２Ａに沿って矢印Ｈ方向に移動するとともに、斜面５２Ａの高低差分だけ付勢部材８０によって底面方向に次第に押し出される。これにより、ラッチ凸部７２は、第１水平ラッチ凹部５２と係合し、操作者は、前述したロック時と同様にカチッと言うラッチ感覚を得ることができる（同図（ｃ）参照）。
【００８１】
次に、アーム部材３１２をロック解除位置からスライドする場合（ラッチ凸部７２を第１水平ラッチ凹部５２によるラッチ位置から脱出させる場合）には、前述と同様に、アーム部材３１２を同図（ｃ）の状態から同図（ａ）に示される矢印Ｇ方向にスライドさせる。同図（ｃ）の状態からアーム部材３１２を矢印Ｇ方向にスライドさせると、紙面右側のラッチ凸部７２の斜面７２Ａは、第１水平ラッチ凹部５２の斜面５２Ａと当接する。アーム部材３１２に更に力を加えてスライドすると、ラッチ凸部７２は斜面５２Ａに沿って上昇する。この時、斜面５２Ａから受ける押圧力が付勢部材８０の付勢力に打ち勝ち、ラッチ凸部７２は、ラッチ部材収容部３１６ｂに収容される方向に、斜面５２Ａに沿って次第に押し込まれる。換言すると、第１水平ラッチ凹部５２に係止されているラッチ凸部７２は、ラッチ凸部７２の斜面７２Ａが第１水平ラッチ凹部５２の斜面５２Ａに沿って、押し込まれながら上昇するので、斜面５２Ａから受ける押圧力を略一定にして移動することができ、第１水平ラッチ凹部５２から脱出する際に、大きな力を必要とせずにスライドをスムーズに行うことができる。
【００８２】
上述の説明でも分かるように、ラッチ凸部７２には斜面７２Ａ、第１水平ラッチ凹部５２には斜面５２Ａ、第２水平ラッチ凹部５４には斜面５４Ａを有しており、アーム部材３１２をスライドした場合に、まず、各斜面が当接するようになっているので、ラッチ凸部７２は、各ラッチ凹部５２、５４を乗り越え易くなり、アーム部材３１２を滑らかにラッチし、ラッチ位置から解除することができる。
【００８３】
次に、図８を用いて、アーム部材３１２を回動させて使用する場合、いわゆるドアガードとして用いる場合について説明する。
【００８４】
まず、同図（ａ）に示される状態から、アーム部材３１２を矢印Ａ方向に回動すると、側壁３１６ａのラッチ凸部７２は、アーム部材３１２の垂直ラッチ凹部５６に嵌合する。前述と同様に、垂直ラッチ凹部５６には斜面５６Ａが設けられているため、ラッチ凸部７２の斜面７２Ａが垂直ラッチ凹部５６の斜面５６Ａと当接して移動するとともに、ラッチ凸部７２は、斜面５６Ａの押圧力によってラッチ部材収容部３１６ｂの内部に、斜面５６Ａに沿って次第に押し込まれる。したがって、アーム部材３１２は、同図（ａ）に示される状態から、ドアガード状態に滑らかに移動できるようになっている。なお、同図（ｂ）の状態から同図（ａ）の状態に戻す場合には、前述と反対の動作を行えば良いので、詳細な説明は省略する。なお、ラッチ凸部７２をラッチ位置から脱出する場合には、ラッチ凸部７２の斜面７２Ａは、垂直ラッチ凹部５６の斜面５６Ａと当接して、斜面５６Ａに沿って、ラッチ凸部７２が収容方向に移動するので、操作者は一定のちからで滑らかにアーム部材３１２を回動することができる。
【００８５】
なお、アーム部材３１２を回動する場合に、アーム部材３１２の一部（例えば、Ｒ部３１２Ａ）がアームベース３１６に擦らないように、アームベース３１６のＲ部３１２Ａ（図８（ａ）に示される斜線部分）と擦る範囲に逃げ溝（図示省略）を設けておくことが好ましい。
【００８６】
具体的には、アーム部材３１２は、スライド可能にされていると共に、通常のドアガードとして使用する場合には回動できるようになっているので、アーム部材３１２のＲ部３１２Ａがアームベース３１６の底面と擦ってしまうことがある。この場合、Ｒ部３１２Ａの板厚となる面がアームベース３１６の面と擦るので、回動抵抗が大きくなる。そこで、アームベース３１６のアーム部材３１２のＲ部３１２Ａと擦る部分に逃げ溝（図示省略）を設けることにより、アーム部材３１２のＲ部３１２Ａがアームベースと接触しなくなり、又は接触面積を小さくすることができ、アーム部材３１２の回動を滑らかに行うことができる。
【００８７】
したがって、上述のように、第３実施形態に係る、ドアガードのアーム装置３１０は、ラッチ手段５０が設けられているので、アーム部材３１２は、所定のラッチ位置に滑らかに移動できるとともに、所定の位置に確実に移動したことを確認できるラッチ感覚を得ることができる。
【００８８】
また、ラッチ手段５０の第１水平ラッチ凹部５２、第２水平ラッチ凹部５４、垂直ラッチ凹部５６及びラッチ凸部７２には、それぞれ斜面５２Ａ、５４Ａ、５６Ａ及び斜面７２Ａが設けられているので、アーム部材３１２は、容易にラッチ位置まで移動できるとともに、ラッチ位置から脱出できるようになっている。
【００８９】
また、ラッチ部材７０は、付勢部材８０によって、側壁３１６ａから外側に突出するように付勢されているので、アーム部材３１２を所定のラッチ位置から一定の力で容易にスライドすることができるとともに、より小気味いいラッチ感覚を得ることができる。
【産業上の利用可能性】
【００９０】
本発明は、ドアの開扉を規制するドアガードの分野において利用することができる。
【図面の簡単な説明】
【００９１】
【図１】第１実施形態に係るドアガード１が開放位置にある場合を示す斜視図である。
【図２】同ドアガード１が規制位置にある場合を示す斜視図である。
【図３】同ドアガード１が係止位置にある場合の斜視図である。
【図４】（ａ）同ドアガード１が開放位置Ｌにある場合を示す斜視図であり、（ｂ）同ドアガード１がロック位置Ｒにある場合を示す斜視図である。
【図５】（ａ）第２実施形態に係るドアガード２が開放位置Ｌにある場合の斜視図であり、（ｂ）同ドアガード２のアーム部材１２が固定状態にある場合の斜視図である。
【図６】（ａ）第３実施形態に係るアーム装置３１０の一部を拡大した斜視図であり、（ｂ）同アーム装置３１０のアームベース３１６からラッチ部材７０、ピン１７を分解した状態を示す分解斜視図であり、（ｃ）図６（ａ）矢視ＩＩ―ＩＩから見た、同アーム装置３１０の断面図である。
【図７】（ａ）同アーム装置３１０のアーム部材３１２の略中間位置を示すアーム部材３１２とアームベース３１６の側面図であり、（ｂ）同アーム装置３１０のアーム部材３１２のロック状態のラッチ位置を示すアーム部材３１２とアームベース３１６の側面図であり、（ｃ）同アーム装置３１０のアーム部材３１２の解放状態のラッチ位置を示すアーム部材３１２とアームベース３１６の側面図である。
【図８】（ａ）同アーム装置３１０のアーム部材３１２の略中間位置を示すアーム部材３１２とアームベース３１６の側面図であり、（ｂ）同アーム装置３１０のアーム部材３１２を回転した状態を示すアーム部材３１２とアームベース３１６の側面図である。
【符号の説明】
【００９２】
１        ドアガード
１０      アーム装置
１２      アーム部材
１３      係合溝
１３ａ    開口部
１３ｂ    誘導溝
１３ｃ    係止溝
１４      係合片
１６      アームベース
２０      係合装置
２２      キャッチ
２２ａ    ヘッド部
３０      スライド機構
４０      ストッパー装置
５０      ラッチ手段
１００    ドア
２００    ドアフレーム
Ｕ        開扉可能位置
Ｌ        開扉規制位置
Ｓ        扉係止位置
Ｒ        ロック位置
【図１】
2010144387.tif 000003
【図２】
2010144387.tif 000004
【図３】
2010144387.tif 000005
【図４】
2010144387.tif 000006
【図５】
2010144387.tif 000007
【図６】
2010144387.tif 000008
【図７】
2010144387.tif 000009
【図８】
2010144387.tif 000010
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
枠体又は扉部材に設けられるアーム装置と、
相手側となる前記扉部材又は前記枠体に設けられるとともに、前記アーム装置と係合しつつ、任意の位置で前記扉部材の開放を規制する係合装置と、
を備えるとともに、
前記アーム装置は、回動可能且つスライド可能に支持されるアーム部材と、
前記アーム部材を前記係合装置に近接又は離反する方向にスライドさせるスライド機構と、
を更に備え、
前記アーム部材は、前記スライド機構によって、前記係合装置に近接された状態において、前記枠体又は前記扉部材又は前記係合装置の少なくとも一部と係合することを特徴とするドアガード。
【請求項２】
前記アーム部材は、前記係合装置方向に突出した複数の係合片を有し、
前記複数の係合片が、前記枠体又は前記扉部材又は前記係合装置の少なくとも一部と係合することを特徴とする、
請求項１に記載のドアガード。
【請求項３】
前記複数の係合片は、少なくとも第１係合片と第２係合片とを有し、
前記第１係合片と前記第２係合片の間隔は、前記第１係合片の板厚又は前記第２係合片の板厚よりも広くなるように形成されていることを特徴とする、
請求項２に記載のドアガード。
【請求項４】
前記アーム部材が前記係合装置に近接された状態において、前記アーム部材のスライドを抑制するスライド抑制機構を更に備えていることを特徴とする、
請求項１乃至３のいずれか１項に記載のドアガード。
【請求項５】
前記アーム部材は、略Ｕ字形状に形成され、前記第１係合片及び前記第２係合片は、前記Ｕ字開口端部に形成されていることを特徴とする、
請求項３に記載のドアガード。
【請求項６】
前記アーム部材は、Ｕ字形状の間に補強部材が設けられ、前記アーム部材の撓みを防止することを特徴とする、
請求項５に記載のドアガード。
【請求項７】
前記アーム装置は、前記アーム部材をスライド経路上及び回動経路上の所定の位置で係止するラッチ手段を、更に備えることを特徴とする、
請求項１乃至６のいずれか１項に記載のドアガード。
【請求項８】
前記スライド機構は、前記アーム部材を水平方向に案内する長穴を備え、
前記ラッチ手段は、前記長穴の長手方向の両端及び上下方向に設けられていることを特徴とする、
請求項７に記載のドアガード。
【請求項９】
前記ラッチ手段は、前記長穴から傾斜する斜面を有する凹部を備え、
前記アーム部材は、前記斜面に沿ってスライドし、前記ラッチ手段の前記凹部に係合することを特徴とする、
請求項８に記載のドアガード。
【手続補正２】
【補正対象書類名】明細書
【補正対象項目名】０００７
【補正方法】変更
【補正の内容】
【０００７】
（１）本発明は、枠体又は扉部材に設けられるアーム装置と、相手側となる前記扉部材又は前記枠体に設けられるとともに、前記アーム装置と係合しつつ、任意の位置で前記扉部材の開放を規制する係合装置と、を備えるとともに、前記アーム装置は、回動可能且つスライド可能に支持されるアーム部材と、前記アーム部材を前記係合装置に近接又は離反する方向にスライドさせるスライド機構と、を更に備え、前記アーム部材は、前記スライド機構によって、前記係合装置に近接された状態において、前記枠体又は前記扉部材又は前記係合装置の少なくとも一部と係合することを特徴とするドアガードである。
【手続補正３】
【補正対象書類名】明細書
【補正対象項目名】０００８
【補正方法】変更
【補正の内容】
【０００８】
（２）本発明はまた、前記アーム部材は、前記係合装置方向に突出した複数の係合片を有し、前記複数の係合片が、前記枠体又は前記扉部材又は前記係合装置の少なくとも一部と係合することを特徴とする、（１）に記載のドアガードである。
【手続補正４】
【補正対象書類名】明細書
【補正対象項目名】００１３
【補正方法】変更
【補正の内容】
【００１３】
（７）本発明はまた、前記アーム装置は、前記アーム部材をスライド経路上及び回動経路上の所定の位置で係止するラッチ手段を、更に備えることを特徴とする、（１）乃至（６）のいずれかに記載のドアガードである。
（８）本発明はまた、前記スライド機構は、前記アーム部材を水平方向に案内する長穴を備え、前記ラッチ手段は、前記長穴の長手方向の両端に設けられるとともに、前記長穴の上下方向に設けられていることを特徴とする、（７）に記載のドアガードである。
（９）本発明はまた、前記ラッチ手段は、前記長穴から傾斜する斜面を有する凹部であることを特徴とする、（８）に記載のドアガードである。